(57)【特許請求の範囲】
【請求項１】
被記録媒体に画像を記録する画像記録装置であって、
高さ方向と、当該高さ方向と直交する幅方向と、を有する第１側面を有する第１筐体と、
上記第１筐体の上側に設けられており、上記高さ方向及び上記幅方向に直交する奥行き方向における上記第１側面と反対側の端部を中心に回動可能な第２筐体と、
上記第１側面に配置されており、それぞれに外部デバイスが挿入される複数の挿入口が形成された挿入部と、
上記第１側面に配置されており、上記外部デバイスに記憶されたデータの処理のために表示または操作されるユーザインタフェース部と、を備え、
上記複数の挿入口は、上記高さ方向における上記ユーザインタフェース部が配置される領域内に配置されており、且つ、上記挿入部は、上記第１側面の上記幅方向において上記ユーザインタフェース部と相互に隣接して配置されており、
上記ユーザインタフェース部は、上記第１筐体に、当該ユーザインタフェース部の上端部側を軸として、垂直姿勢及び当該垂直姿勢に対して傾斜した傾斜姿勢に回動可能に支持され、且つ、上記垂直姿勢の当該ユーザインタフェース部の上端は、上記第１筐体の上端に位置するように配置されており、
上記第２筐体の下端部であって、上記垂直姿勢の上記ユーザインタフェース部の上端の上方には、凹部が形成されており、
上記傾斜姿勢の上記ユーザインタフェース部の上端部は、上記凹部内に位置している画像記録装置。
【請求項２】
上記第１筐体の外側から上記複数の挿入口を覆う第１姿勢、及び上記複数の挿入口を露出する第２姿勢の間で姿勢変化可能なカバー体を更に備える請求項１に記載の画像記録装置。
【請求項３】
上記カバー体は、上記挿入部または上記第１筐体の少なくとも一方に、上記第１姿勢と上記第２姿勢とに回動可能に支持されている請求項２に記載の画像記録装置。
【請求項４】
上記カバー体は、上記第１姿勢の上記カバー体の外側の面が上記ユーザインタフェース部の外側の面と同一面となるように設けられている請求項２または３に記載の画像記録装置。
【請求項５】
上記ユーザインタフェース部の下方には、画像が記録された被記録媒体が排出される排出口が設けられている請求項１から４に記載の画像記録装置。
【請求項６】
上記ユーザインタフェース部からの配線が接続される第１コネクタと、上記外部デバイスが挿入され当該外部デバイスの端子と接触する端子を有する第２コネクタと、が実装された基板を更に備え、
上記基板は、上記第１筐体の内部であって、上記挿入口と上記第２コネクタとが対向する位置に配置される請求項１から５のいずれかに記載の画像記録装置。
【請求項７】
上記挿入部は、上記挿入部の外側の面が上記ユーザインタフェース部の外側の面よりも所定長さだけ奥側となるように設けられている請求項１から６のいずれかに記載の画像記録装置。
【発明の詳細な説明】
【技術分野】
【０００１】
本発明は、外部デバイスが挿入される挿入口と、ユーザによって操作されるユーザインタフェース部とを備える画像記録装置に関する。
【背景技術】
【０００２】
フラッシュメモリなどの不揮発性メモリがカード型にパッケージングされたメモリカード（外部デバイスの一例）や、ＵＳＢ規格に対応したメモリ（外部デバイスの一例）などの外部メモリが広く知られている。近年、上記外部メモリとの電気的な接続を可能とする接続デバイスが一体的に搭載された画像記録装置が市場に出回っている。このような画像記録装置においては、外部メモリが画像記録装置に設けられた挿入口に挿入されることにより、パーソナルコンピュータなどの外部情報機器を介することなく、外部メモリと画像記録装置との間でデータの受け渡しが可能となっている。
【０００３】
また、通常、画像記録装置には、上記のデータの受け渡しを含む画像記録装置の操作を行うための操作パネルが設けられている。操作パネルは、例えば、各種ボタンやタッチパネルなどで構成されている。ユーザがボタンやタッチパネルを押下することにより、画像記録装置は用紙への画像記録などを実行する。
【０００４】
このような画像記録装置の一例として、特許文献１には、正面にメモリカードが挿入されるカードスロットが設けられ、当該カードスロットの上側に操作パネルが設けられた画像処理装置が開示されている。
【先行技術文献】
【特許文献】
【０００５】
【特許文献１】特開２００７−７４６２２号公報
【発明の概要】
【発明が解決しようとする課題】
【０００６】
しかしながら、特許文献１に開示された画像処理装置においては、カードスロットと操作パネルとが、異なる高さに配置されていた。これにより、ユーザは、カードスロットにメモリカードを挿入した後、操作パネルを操作するために、メモリカードを持っていた手を異なる高さに動かす必要があった。そのため、画像記録装置の操作性が必ずしも良いとは言えなかった。
【０００７】
本発明は、上記問題に鑑みてなされたものであり、その目的は、良好な操作性を備える画像記録装置を提供することにある。
【課題を解決するための手段】
【０００８】
(1)  本発明の画像記録装置は、被記録媒体に画像を記録する装置である。当該画像記
録装置の側面は、高さ方向と、当該高さ方向と直交する幅方向と、を有する第１側面を有している。本発明の画像記録装置は、上記第１側面に配置されており、外部デバイスが挿入される挿入口が形成された挿入部と、上記第１側面に配置されており、上記外部デバイスに記憶されたデータの処理のために表示または操作されるユーザインタフェース部と、を備える。上記挿入口は、上記高さ方向における上記ユーザインタフェース部が配置される領域内に配置されており、且つ、上記挿入部は、上記第１側面の上記幅方向において相互に隣接して配置されている。
【０００９】
挿入口は、高さ方向においてユーザインタフェース部が配置される領域内に配置されており、且つ幅方向において相互に隣接して配置されている。このため、ユーザは、外部デバイスを挿入口に挿入させた後、外部デバイスを持っていた手を少し動かすだけで、ユーザインタフェース部を操作することができる。
【００１０】
(2)  本発明の画像記録装置は、上記筐体の外側から上記挿入口を覆う第１姿勢、及び
上記挿入口を露出する第２姿勢の間で姿勢変化可能なカバー体を更に備える。
【００１１】
本構成によれば、挿入口は第１姿勢のカバー体に覆われる。これにより、挿入口に埃などの異物が入りにくくなる。
【００１２】
(3)  上記カバー体は、上記挿入部または上記筐体の少なくとも一方に回動可能に支持
されている。
【００１３】
本構成によれば、簡易な構成で、カバー体の姿勢変化を実現できる。また、簡単な操作で、カバー体を姿勢変化させることができる。
【００１４】
(4)  上記カバー体の回動軸は、上記カバー体の下端部側に設けられている。
【００１５】
本構成によれば、カバー体が第２姿勢であるとき、カバー体は自重によって第２姿勢を維持する。そのため、外部デバイスの挿入口への挿入及び挿入口からの脱抜が、カバー体によって妨げられることなく実行可能である。
【００１６】
(5)  上記挿入部の下方には、画像が記録された被記録媒体が排出される排出口が設け
られている。上記カバー体が所定角度回動した位置で上記カバー体と当接し、上記所定角度以上の上記カバー体の回動を妨げるストッパが形成されている。
【００１７】
本構成によれば、排出される被記録媒体に干渉することなく、カバー体を開閉することが可能となる。
【００１８】
(6)  上記カバー体は、上記第１姿勢の上記カバー体の外側の面が上記ユーザインタフ
ェース部の外側の面と同一面となるように設けられている。
【００１９】
本構成によれば、画像記録装置の外側の面の凹凸を少なくすることができる。これにより、画像記録装置の外観を単純化することができる。
【００２０】
(7)  上記ユーザインタフェース部は、上記ユーザインタフェース部の上端部側を上記
筐体に回動可能に支持される。
【００２１】
本構成によれば、ユーザは使用しやすい角度にユーザインタフェース部を設定することで、操作し易くなる。つまり、本構成によれば、ユーザインタフェース部は、ユーザにとって操作し易い姿勢に変化可能である。
【００２２】
(8)  上記ユーザインタフェース部の下方には、画像が記録された被記録媒体が排出さ
れる排出口が設けられている。
【００２３】
本構成によれば、ユーザは排出口から手を入れて、ユーザインタフェース部を把持できる。そのため、ユーザインタフェース部を回動させやすい。
【００２４】
(9)  本発明の画像記録装置は、上記ユーザインタフェース部からの配線が接続される第１コネクタと、上記外部デバイスが挿入され当該外部デバイスの端子と接触する端子を有する第２コネクタと、が実装された基板を更に備える。上記基板は、上記筐体の内部であって、上記挿入口と上記第２コネクタとが対向する位置に配置される。
【００２５】
本構成によれば、第１コネクタを実装するための基板と、第２コネクタを実装するための基板とを、別個に設ける必要がない。
【００２６】
(10)  上記第１姿勢の上記カバー体の上記挿入口と対向する位置には、凹部が形成されている。
【００２７】
外部デバイスが挿入口から外部に突出された状態でカバー体が第１姿勢に姿勢変化されたとき、当該外部デバイスは凹部に入り込む。よって、当該外部デバイスが破損する可能性を低くすることができる。
【００２８】
(11)  上記挿入部は、上記挿入部の外側の面が上記ユーザインタフェース部の外側の面よりも所定長さだけ奥側となるように設けられている。
【００２９】
通常、ユーザインタフェース部は挿入部よりも厚みがある。よって、本構成によれば、挿入部の奥面とユーザインタフェース部の奥面との位置を揃えることができる。これにより、本構成による構造は、挿入部及びユーザインタフェース部の奥側に基板などを配置し易い構造である。
【００３０】
(12)  本発明の画像記録装置は、上記側面を有する第１筐体と、上記第１筐体の上側に設けられており、上記高さ方向及び上記幅方向に直交する奥行き方向における上記第１側面と反対側の端部を中心に回動可能な第２筐体と、を備えている。上記挿入部の上端と上記ユーザインタフェース部の上端とは、上記第１筐体の上端に位置するように配置されている。上記第２筐体の下端部であって、上記挿入部の上端と上記ユーザインタフェース部の上端との上方には、凹部が形成されている。
【００３１】
本構成によれば、ユーザは凹部に手を入れて、第２筐体を把持できる。そのため、第２筐体を回動させることが容易である。また、本構成によれば、ユーザは凹部に手を入れて、カバー体及びユーザインタフェース部を把持できる。そのため、カバー体及びユーザインタフェース部が上端部側を中心に回動可能に構成されている場合、当該カバー体及びユーザインタフェース部を回動させることが容易である。
【発明の効果】
【００３２】
本発明によれば、ユーザは、挿入口に挿入させた外部デバイスを持っていた手を少し動かすだけで、ユーザインタフェース部を操作することができる。つまり、本発明の画像記録装置は良好な操作性を備える。
【図面の簡単な説明】
【００３３】
【図１】図１は、操作部７０が垂直姿勢でカバー体９０が遮蔽姿勢である場合の複合機１０の外観斜視図である。
【図２】図２は、操作部７０が傾斜姿勢でカバー体９０が露出姿勢である場合の複合機１０の外観斜視図である。
【図３】図３は、プリンタ部１１の平面図である。
【図４】図４は、操作部７０が垂直姿勢でカバー体９０が遮蔽姿勢の状態における図３のＡ−Ａ断面図である。
【図５】図５は、操作部７０が傾斜姿勢でカバー体９０が露出姿勢の状態における図３のＡ−Ａ断面図である。
【図６】図６は、カバー体９０の回動について説明するための模式図であり、（Ａ）には挿入部６０の左側面図が示されており、（Ｂ）には挿入部の正面図が示されており、（Ｃ）にはカバー体９０の左側面図が示されており、（Ｄ）にはカバー体９０の正面図が示されている。
【図７】図７は、カバー体９０の回動について説明するための模式図であり、（Ａ）にはカバー体９０が遮蔽姿勢の場合の挿入部６０及びカバー体９０の左側面図が示されており、（Ｂ）にはカバー体９０が遮蔽姿勢の場合の挿入部６０及びカバー体９０の正面図が示されており、（Ｃ）にはカバー体９０が露出姿勢の場合の挿入部６０及びカバー体９０の左側面図が示されている。
【発明を実施するための形態】
【００３４】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、矢印の起点から終点に向かう進みが向きと表現され、矢印の起点と終点とを結ぶ線上の往来が方向と表現される。また、以下の説明では、複合機１０が使用可能に設置された状態（図１（Ａ）の状態）を基準として上下方向７が定義され、本体開口１３が設けられている側を手前側（正面）として前後方向８が定義され、複合機１０を手前側（正面）から見て左右方向９が定義される。
【００３５】
［複合機１０］
図１に示されるように、複合機１０（本発明の画像記録装置の一例）は、概ね薄型の直方体に形成されている。複合機１０は、その上部に、記録用紙（本発明の被記録媒体の一例）などの原稿に記録された画像をイメージセンサによって読み取って画像データを取得するスキャナ部１２を備えている。また、複合機１０は、その下部に、上記画像データなどに基づいて、記録用紙などの被記録媒体に画像を記録するプリンタ部１１を備えている。
【００３６】
図１及び図２に示されるように、スキャナ部１２は、概ね直方体に形成されたスキャナ筐体１５（本発明の第２筐体の一例）を有している。また、プリンタ部１２は、概ね直方体に形成されており、正面に本体開口１３（本発明の排出口の一例）が形成されたプリンタ筐体１４（本発明の第１筐体の一例）を有している。つまり、スキャナ筐体１５は、プリンタ筐体１４の上側に設けられている。
【００３７】
スキャナ部１２は、所謂フラットベッドスキャナとして構成されている。スキャナ筐体１５には、原稿がセットされるプラテンガラス（不図示）や、プラテンガラスにセットされた原稿を読み取るイメージセンサなどが配設されている。なお、ここでは、これ以上のスキャナ部１２の内部構成の詳細な説明は省略される。
【００３８】
図１に示されるように、スキャナ筐体１５は、後端部を軸として矢印３３の方向に回動することによって、プリンタ筐体１４に対して閉じられる閉姿勢（図１に示される姿勢）、及びプリンタ筐体５２に対して開かれる開姿勢（不図示）の間で姿勢変化可能である。このような回動は、例えば、スキャナ筐体１５の後端下部とプリンタ筐体１４の後端上部とが蝶番で連結されることによって、実現可能である。以上より、スキャナ筐体１５は、上下方向７（本発明の高さ方向に相当）及び左右方向９（本発明の幅方向に相当）に直交する前後方向８（本発明の奥行き方向に相当）におけるプリンタ筐体１４の前側面５２と反対側の端部、つまり後端部を中心に回動可能に構成されている。
【００３９】
スキャナ筐体１５の前面１６の下端部には、凹部１７（本発明の凹部の一例）が形成されている。ユーザは、スキャナ筐体１５をプリンタ筐体１４に対して回動する際に、凹部１７に手を入れてスキャナ筐体１５を把持することができる。
【００４０】
プリンタ筐体１４には、本体開口１３から前後方向８に挿抜可能であって内部に記録用紙が収容される給紙トレイ２０と、給紙トレイ２０に収容された記録用紙を搬送路（不図示）に沿って搬送させる複数のローラ（不図示）と、スキャナ部１２によって原稿から読み取られた画像データなどに基づいて、搬送路を搬送される記録用紙に画像を記録する記録部（不図示）などが配設されている。本実施形態において、記録部が記録用紙に画像を記録する方式は、インクジェット記録方式である。なお、記録部が記録用紙に画像を記録する方式はインクジェット記録方式に限らず、例えば電子写真方式などであってもよい。なお、プリンタ筐体１４については、後に更に詳述される。
【００４１】
画像が記録された記録用紙は、給紙トレイ２０の上側に設けられた排紙トレイ２１に排出される。ここで、排紙トレイ２１は、給紙トレイ２０の上側に給紙トレイ２０と重ねられて設けられており、給紙トレイ２０と一体に本体開口１３に挿抜される。よって、給紙トレイ２０が本体開口１３に挿入されている状態において、排紙トレイ２１は、本体開口１３の底面を構成している。つまり、画像が記録された記録用紙は本体開口１３内に排出される。
【００４２】
［搬送路］
搬送路は、給紙トレイ２０の後端部を基点として、下方から上方に延びつつＵターンしてから、前向きに延びて排紙トレイ２１に至る通路である。搬送路は、所定間隔を隔てて互いに対向する２つのガイド部材（不図示）によって区画される空間である。
【００４３】
［ローラ対］
ローラ対は、搬送路の上側に配置された上側ローラ（不図示）と、搬送路の下側に上側ローラに対向して配置された下側ローラとを備えている。ローラ対は、記録用紙を挟持して、記録用紙を搬送路に沿って搬送する。
【００４４】
［記録部］
記録部は、搬送路の上側に配置されている。記録部は、搬送路に対向可能な位置に設けられた記録ヘッド（不図示）と、記録ヘッドを搭載したキャリッジ（不図示）とを備えている。記録ヘッドには、インクカートリッジ（不図示）から供給されたインクを搬送路に向けて吐出するための複数のノズルが形成されている。キャリッジは、左右方向９に往復移動可能に構成されている。キャリッジが左右方向９へ往復移動されながら、インクがノズルから搬送路に沿って搬送される記録用紙に吐出される。これにより、記録用紙に画像が記録される。
【００４５】
［制御部］
制御部（不図示）は、複合機１０の動作を制御するものであり、基板に実装されたマイクロコンピュータや種々の電子部品により構成されている。また、制御部は、ＲＡＭやＲＯＭなどで構成された記憶部を備えている。なお、本実施形態において、制御部は、後述する基板８０に実装されているが、基板８０とは別の基板に実装されてもよい。例えば、制御部は、上述した各種ローラの駆動するモータを制御して、記録用紙を搬送させる。また、制御部は、記録部を制御して、記録用紙に画像を記録させる。
【００４６】
［プリンタ筐体１４］
図１に示されるように、本実施形態において、プリンタ筐体１４は、概ね直方体に形成されており、上面５１、下面５６（図４及び図５参照）、前側面５２（本発明の第１側面の一例）、後側面５４（図３参照）、右側面５５（図３参照）、及び左側面５３を有している。つまり、本実施形態において、プリンタ筐体１４は、４つの側面を有している。当該４つの側面は、本発明の側面の一例である。プリンタ筐体１４の４つの側面のうちの前側面５２は、上下方向７と左右方向９とよりなる面である。つまり、前側面５２は、上下方向７と左右方向９とを有する。
【００４７】
［挿入部６０］
図２に示されるように、挿入部６０（本発明の挿入部の一例）は、複合機１０の前側面５２における本体開口１３の上側に設けられている。挿入部６０の配置位置については、後に更に詳述される。
【００４８】
挿入部６０は、概ね薄板形状の部材であり、前側面５２に設けられた開口に嵌め込まれるようにして、前側面５２に取り付けられている。挿入部６０には、記憶媒体である各種外部デバイス（本発明の外部デバイスに相当）が挿入される挿入口６１（本発明の挿入口の一例）が形成されている。
【００４９】
本実施形態において、挿入部６０には、３個の挿入口６１Ａ、６１Ｂ、６１Ｃが設けられている。各挿入口６１には、それぞれ異なる種類の外部デバイスが挿入される。例えば、挿入口６１ＡにはＳＤカード（登録商標、本発明の外部デバイスの一例）が挿入され、挿入口６１Ｂにはメモリースティック（登録商標、本発明の外部デバイスの一例）が挿入され、挿入口６１ＣにはＵＳＢ規格に対応したデバイス（本発明の外部デバイスの一例）が挿入される。なお、本実施形態において、挿入部６０には、挿入口６１が３個形成されているが、挿入口６１の数は３個に限らない。
【００５０】
また、後述されるように、挿入口６１の後側には、外部デバイスが挿入される第２コネクタ８１（図４参照）が配置されている。これにより、挿入口６１から挿入された外部デバイスは、第２コネクタ８１に装填される。
【００５１】
［ユーザインタフェース部７０］
図１に示されるように、ユーザインタフェース部７０（本発明のユーザインタフェース部の一例）は、複合機１０の前側面５２の本体開口１３の上側且つ挿入部６０の右側に設けられている。ユーザインタフェース部７０の配置位置については、後に更に詳述される。
【００５２】
ユーザインタフェース部７０は、プリンタ部１１及びスキャナ部１２を操作するための装置である。ユーザインタフェース部７０には、操作キー７１及びタッチパネル７２が配設されている。なお、本実施形態においては、操作キー７１及びタッチパネル７２はそれぞれ１個配設されているが、操作キー７１及びタッチパネル７２の数は１個に限らない。また、ユーザインタフェース部７０には、操作キー７１が配設されずにタッチパネル７２のみが配設されていてもよく、逆に、タッチパネル７２が配設されずに操作キー７１のみが配設されていてもよい。
【００５３】
制御部は、タッチパネル７２に、ユーザへの指示や画像記録に関する情報などを表示させる。ユーザは、タッチパネル７２に表示された情報に基づいて、操作キー７１及びタッチパネル７２を操作する。制御部は、操作キー７１及びタッチパネル７２からユーザによって入力された指示に従って動作する。
【００５４】
例えば、本実施形態において、制御部は、ユーザによるタッチパネル７２の操作によって、挿入部６０から第２コネクタ８１に装填された外部デバイスに記憶された少なくとも一つの画像データを読み出して、当該画像データに関する情報をタッチパネル７２に表示させる。ユーザは、タッチパネル７２を操作することによって、表示された画像データから所定の画像データを選択する。さらに、ユーザは、タッチパネル７２の操作や操作キー７１を押すことにより、選択した画像データの記録条件を設定する。制御部は、選択された画像データを設定された記録条件で記録用紙に記録させる。
【００５５】
また、本実施形態において、制御部は、ユーザによるタッチパネル７２の操作によって、制御部のＲＡＭに記憶された少なくとも一つの画像データに関する情報をタッチパネル７２に表示させる。ユーザは、タッチパネル７２を操作することによって、表示された画像データから所定の画像データを選択する。制御部は、選択された画像データをＲＡＭから第２コネクタ８１に装填された外部デバイスに転送またはコピーする。
【００５６】
以上より、ユーザインタフェース部７０は、外部デバイスに記憶されたデータの処理のために表示または操作される。
【００５７】
ユーザインタフェース部７０の上端部近傍は、プリンタ筐体１４（詳細には前側面７２を構成する部材）に回動可能に支持されている。例えば、ユーザインタフェース部７０の上端部近傍の左右方向９の両端には、外側に延びた突起（不図示）が形成されている。前側面７２を含む部材において、ユーザインタフェース部７０の右端から延びた突起と対向する位置には、孔（不図示）が形成されている。また、挿入部６０の右側面において、ユーザインタフェース部７０の左端から延びた突起と対向する位置にも、孔（不図示）が形成されている。ユーザインタフェース部７０の左右方向９の両端の突起が、前側面７２を含む部材の孔、及び挿入部６０の右側面の孔に挿通される。これにより、ユーザインタフェース部７０は、上端部近傍を軸として、回動可能となる。つまり、ユーザインタフェース部７０の回動軸７６（図４及び図５に十字線で示されている。）は、ユーザインタフェース部７０の上端部近傍に設けられている。
【００５８】
なお、本実施形態では、ユーザインタフェース部７０の回動軸７６は、ユーザインタフェース部７０の上端部近傍に設けられているが、ユーザインタフェース部７０の回動軸７６が、ユーザインタフェース部７０の下端部近傍に設けられていてもよい。
【００５９】
ユーザインタフェース部７０は、回動することによって、前側面７２に沿った垂直姿勢（図１及び図４に示された状態）、及び前側面７２に対して傾斜した傾斜姿勢（図２及び図５に示された状態）に姿勢変化される。
【００６０】
例えば、図１及び図４に示されるように、ユーザインタフェース部７０が垂直姿勢をとっている状態で、ユーザがユーザインタフェース部７０の下端部を把持して矢印７３（図４参照）の向きに回動させると、ユーザインタフェース部７０は、図２及び図５に示されるように、傾斜姿勢に姿勢変化される。なお、傾斜姿勢のユーザインタフェース部７０は、自重によって垂直姿勢に戻らず、傾斜姿勢を維持する。このような傾斜姿勢の維持は、例えば、ユーザインタフェース部７０の突起と前側面７２を構成する部材の孔及び挿入部６０の右側面の孔との接触部分に、ゴムなどの弾性部材が挟まれることによって実現可能である。
【００６１】
また、図２及び図５に示されるように、ユーザインタフェース部７０が傾斜姿勢をとっている状態で、ユーザがユーザインタフェース部７０の下端部を把持して矢印７４（図５参照）の向きに回動させると、ユーザインタフェース部７０は、図１及び図４に示されるように、垂直姿勢に姿勢変化される。
【００６２】
［カバー体９０］
図１に示されるように、カバー体９０（本発明のカバー体の一例）は、複合機１０の前側面５２の本体開口１３の上側に設けられている。図１及び図４に示されるように、カバー体９０は、概ね薄板形状の部材であり、プリンタ筐体１４の外側から挿入口６１を含む挿入部６０を覆うように配置されている。つまり、カバー体９０は、挿入部６０よりもプリンタ筐体１４に対して外側に設けられている。カバー体９０の配置位置については、後に更に詳述される。
【００６３】
カバー体９０の下端部近傍は、挿入部６０に回動可能に支持されている。なお、カバー体９０は、プリンタ筐体１４（詳細にはプリンタ筐体１４のうちの前側面７２を含む部材）に回動可能に支持されていてもよい。また、カバー体９０は、挿入部６０及びプリンタ筐体１４の双方に回動可能に支持されていてもよい。以上より、カバー体９０は、挿入部６０またはプリンタ筐体１４の少なくとも一方に回動可能に支持されていればよい。
【００６４】
なお、本実施形態では、カバー体９０の回動軸は、カバー体９０の下端部近傍に設けられているが、カバー体９０の回動軸が、カバー体９０の上端部近傍に設けられていてもよい。
【００６５】
以下に、カバー体９０が挿入部６０に回動可能に支持される構成の一例が、図６及び図７に基づいて詳述される。
【００６６】
本実施形態において、図６（Ｂ）に示されるように、挿入部６０の下端部近傍の左右方向９の長さは、下端部近傍以外の左右方向９の長さよりも短い。図６（Ａ）、（Ｂ）に示されるように、挿入部６０の下端部近傍の左右方向９の両端には、外側に延びた突起６２、６３が形成されている。右側の突起６２の先端から左側の突起６３の先端までの距離は、挿入部６０の下端部近傍以外の左右方向９の長さと略等しい。
【００６７】
一方、図６（Ｄ）に示されるように、カバー体９０の下端部における左右両端には、凸部９１、９２が形成されている。図６（Ｃ）に示されるように、カバー体９０において、凸部９１、９２の前後方向８の長さは他の部分の前後方向８の長さよりも長く構成されている。図６（Ｃ）、（Ｄ）に示されるように、凸部９１、９２には、孔９３Ａ、９３Ｂが形成されている。
【００６８】
図７（Ａ）、（Ｂ）に示されるように、挿入部６０の突起６２、６３がカバー体９０の孔９３Ａ、９３Ｂに挿通されることによって、カバー体９０が挿入部６０に取り付けられる。これにより、カバー体９０は回動可能となる。つまり、カバー体９０の回動軸１０１（図４及び図５に十字線で示されている。）は、カバー体９０の下端部近傍に設けられている。なお、本実施形態では、カバー体９０の回動軸１０１は、カバー体９０の下端部近傍に設けられているが、カバー体９０の回動軸１０１が、カバー体９０の上端部近傍に設けられていてもよい。
【００６９】
また、カバー体９０は、プリンタ筐体１４の外側から挿入部６０を覆って挿入部６０を外部から遮蔽する遮蔽姿勢（図１、図４、及び図６（Ｃ）に示された状態、本発明の第１姿勢に相当）、及び挿入部６０を外部に露出する露出姿勢（図２、図５、及び図６（Ｄ）に示された状態、本発明の第２姿勢に相当）の間で姿勢変化可能となる。
【００７０】
例えば、図１及び図４に示されるように、カバー体９０が遮蔽姿勢をとっている状態で、ユーザがカバー体９０の上面に設けられた凹部９４（図１参照）に指を当てつつ破線の矢印９５（図４参照）の向きに回動させると、カバー体９０は、図２及び図５に示されるように、露出姿勢に姿勢変化される。
【００７１】
また、図２及び図５に示されるように、ユーザインタフェース部７０が露出姿勢をとっている状態で、ユーザがユーザインタフェース部７０の上端部を把持して破線の矢印９６（図５参照）の向きに回動させると、ユーザインタフェース部７０は、図１及び図４に示されるように、遮蔽姿勢に姿勢変化される。なお、図２に示されるように、カバー体９０における挿入部６０側の面である内面９７の上端部には、突起９３が形成されている。また、挿入部６０の上端部には、突起９３と嵌合可能な開口６４が形成されている。カバー体９０が遮蔽姿勢のとき、突起９３と開口６４とは嵌合される。これにより、遮蔽姿勢のカバー体９０は、自重によって露出姿勢に姿勢変化せず、遮蔽姿勢を維持する。
【００７２】
本実施形態においては、図２に示されるように、カバー体９０の内面９７において、カバー体９０が遮蔽姿勢のときに挿入部６０の挿入口６１と対向する位置には、凹部９８（本発明の凹部に相当）が形成されている。これにより、挿入口６１からカバー体９０の内面９７（詳細には凹部９８の底面）までの距離９９（図４参照）が、凹部９８が設けられていない場合と比較して、長くなる。その結果、小型メモリカードが挿入口６１から前側に突出されているとき、当該小型メモリカードの先端部分がカバー体９０の内面９７と接触する可能性が低くなる。
【００７３】
また、本実施形態において、カバー体９０の遮蔽姿勢から露出姿勢までの回動角度は、９０度（本発明の所定角度の一例）である。具体的には、カバー体９０は、遮蔽姿勢において上下方向に沿って延びているのに対して、露出姿勢において前後方向８に沿って延びている。そして、カバー体９０は、上記９０度よりも大きい角度に回動しない。このようなカバー体９０の回動角度の制限は、カバー体９０が９０度回動した位置、つまり図２、図５、及び図７（Ｃ）に示される露出姿勢の位置でカバー体９０と当接する当接部材７７（図７（Ｃ）参照、本発明のストッパの一例）によって実現される。なお、図７（Ｃ）以外において、当接部材７７の記載は省略されている。
【００７４】
図７（Ｃ）に示されるように、本実施形態における当接部材７７は、プリンタ筐体１４から外側に延びた突起であり、露出姿勢のカバー体９０と当接される。これにより、露出姿勢のカバー体９０が矢印７８の向きに回動することが、当接部材７７によって妨げられる。換言すると、カバー体９０は、所定の回動角度分（本実施形態では９０度）を回動すると当接部材７７と当接するため、それ以上回動することができなくなる。
【００７５】
［挿入部６０、ユーザインタフェース部７０、及びカバー体９０の配置位置］
挿入部６０及びユーザインタフェース部７０は、スキャナ筐体１２と本体開口１３との間に配置されている。
【００７６】
挿入部６０及びユーザインタフェース部７０の下面は、本体開口１３に面している。つまり、挿入部６０及びユーザインタフェース部７０の下方には、本体開口１３が設けられている。
【００７７】
これにより、ユーザインタフェース部７０がユーザによって回動されるとき、ユーザは本体開口１３に手を入れてユーザインタフェース部７０の下端部を把持することができる。また、カバー体９０の回動軸が上端部近傍に設けられている場合において、カバー体９０がユーザによって回動されるとき、ユーザは本体開口１３に手を入れてカバー体９０の下端部を把持することができる。
【００７８】
挿入部６０及びユーザインタフェース部７０の上面は、スキャナ筐体１５の凹部１７に面している。これにより、挿入部６０及びユーザインタフェース部７０の上面は、凹部１７の底面を区画している。つまり、挿入部６０及びユーザインタフェース部７０の上端は、プリンタ筐体１４の上端に位置するように配置されている。また、凹部１７は、挿入部６０の上端とユーザインタフェース部７０の上端との上方に形成されている。
【００７９】
これにより、カバー体９０がユーザによって回動されるとき、ユーザは、凹部１７に手を入れて、カバー体９０の上面に設けられた凹部９４に指を当てることができる。また、ユーザインタフェース部７０の回動軸が下端部近傍に設けられている場合において、ユーザインタフェース部７０がユーザによって回動されるとき、ユーザは凹部１７に手を入れてユーザインタフェース部７０の上端部を把持することができる。
【００８０】
また、挿入部６０の上下方向７の長さは、ユーザインタフェース部７０の上下方向７の長さと同じである。また、上述したように、挿入部６０及びユーザインタフェース部７０は、上端及び下端の高さが同位置である。つまり、挿入部６０及びユーザインタフェース部７０は、プリンタ筐体１４の前側面５２の上下方向７、つまり高さ方向において同じ位置に配置されている。これにより、挿入部６０に形成されている挿入口６１は、上下方向７におけるユーザインタフェース部７０が配置される領域内に配置されている。
【００８１】
また、図１に示されるように、挿入部６０は、ユーザインタフェース部７０の左側に配置されている。また、挿入部６０及びユーザインタフェース部７０の間には、他の部材は介されていない。つまり、挿入部６０及びユーザインタフェース部７０は、プリンタ筐体１４の前側面５２の左右方向９、つまり幅方向において相互に隣接して配置されている。
【００８２】
また、図１に示されるように、カバー体９０が遮蔽姿勢であり且つユーザインタフェース部７０が垂直姿勢であるとき、カバー体９０において内面９７（図２参照）と反対側の面である外面１００（図１参照）の前後方向８の位置は、ユーザインタフェース部７０の前面７５の前後方向８の位置と同位置である。つまり、カバー体９０は、遮蔽姿勢のカバー体９０の外側の面が垂直姿勢のユーザインタフェース部７０の外側の面と同一面となるように設けられている。なお、本実施形態においては、カバー体９０の外面１００及びユーザインタフェース部７０の前面７５は、プリンタ筐体１４の前側面５２と同一面となるように設けられている。
【００８３】
上述したように、カバー体９０は、プリンタ筐体１４の外側から挿入部６０を覆うように配置されている。つまり、挿入部６０の前面６５（図２参照）は、カバー体９０よりも後方に位置する。すなわち、挿入部６０の前面６５の前後方向８の位置は、ユーザインタフェース部７０の前面７５の前後方向８の位置よりも所定長さ（本発明の所定長さに相当）だけ後方、つまり奥側に位置する。なお、所定長さは、挿入部６０の後面とユーザインタフェース部７０の後面との前後方向８の位置が同位置となる長さであることが好ましい。
【００８４】
［基板８０］
プリンタ筐体１４の内部には、基板８０（本発明の基板に相当）が配置されている。基板８０は、プリンタ筐体１４を構成するフレームなどにビスなどによって固定されている。基板８０は、挿入部６０及びユーザインタフェース部７０の後側、つまりプリンタ筐体１４の前端部近傍且つ左右方向９の中央部及び中央部から左側寄りに配置されている。
【００８５】
基板８０の上面には、上述した制御部の他、ユーザインタフェース部７０からの配線が接続される第１コネクタ８２（図３参照、本発明の第１コネクタに相当）と、外部デバイスが当該外部デバイスの端子と接触する端子を有する第１コネクタ８１（図４参照、本発明の第２コネクタに相当）とが実装されている。なお、図３において、第１コネクタ８２及び第２コネクタ８１の記載は省略されている。外部デバイスは第１コネクタ８１に設けられた挿入口８３（図３及び図４参照）から挿入される。挿入口８３の最奥部には、端子が形成されている。また、外部デバイスの挿入先端にも端子が形成されている。これらの両端子が相互に接触することによって、外部デバイスが基板８０に実装された制御部に接続される。
【００８６】
基板８０の上下方向７の位置は、以下の条件を満たす位置である。上記条件は、図４に示されるように、基板８０がプリンタ筐体１４の内部に配置された状態において、基板８０の上面に実装された第２コネクタ８２が、挿入部６０に形成された挿入口６１と対向することである。
【００８７】
［実施形態の効果］
挿入口６１は、上下方向７においてユーザインタフェース部７０が配置される領域内に配置されており、且つ左右方向９において相互に隣接して配置されている。このため、ユーザは、外部デバイスを挿入口６１に挿入させた後、外部デバイスを持っていた手を少し動かすだけで、ユーザインタフェース部７０を操作することができる。つまり、本実施形態によれば、複合機１０は良好な操作性を備える。
【００８８】
また、本実施形態によれば、挿入口６１は遮蔽姿勢のカバー体９０に覆われる。これにより、挿入口６１に埃などの異物が入りにくくなる。
【００８９】
また、本実施形態によれば、カバー体９０が回動可能であるため、簡易な構成で、カバー体９０の姿勢変化を実現できる。また、簡単な操作で、カバー体９０を姿勢変化させることができる。
【００９０】
また、本実施形態によれば、カバー体９０が露出姿勢であるとき、カバー体９０は自重によって露出姿勢を維持する。そのため、外部デバイスの挿入口６１への挿入及び挿入口６１からの脱抜が、カバー体９０によって妨げられることなく実行可能である。
【００９１】
また、本実施形態によれば、当接部材７７が形成されているために、排紙される記録用紙に干渉することなく、カバー体９０を開閉することが可能となる。
【００９２】
また、本実施形態によれば、遮蔽姿勢のカバー体９０の外面１００が垂直姿勢のユーザインタフェース部７０の前面７５と同一面となる。よって、複合機１０の外側の面の凹凸を少なくすることができる。これにより、複合機１０の外観を単純化することができる。
【００９３】
また、本実施形態によれば、ユーザが前側からユーザインタフェース部７０を操作するときにユーザインタフェース部７０は垂直姿勢にされ、ユーザが上側からユーザインタフェース部７０を操作するときにユーザインタフェース部７０は傾斜姿勢にされることによって、ユーザはユーザインタフェース部７０を操作し易くなる。つまり、本実施形態によれば、ユーザインタフェース部７０は、ユーザにとって操作し易い姿勢に変化可能である。
【００９４】
また、本実施形態によれば、ユーザは本体開口１３から手を入れて、ユーザインタフェース部７０を把持できる。そのため、ユーザインタフェース部７０を回動させやすい。
【００９５】
また、本実施形態によれば、第１コネクタ８２及び第２コネクタ８１が実装された基板８０が設けられているために、第１コネクタ８２を実装するための基板と、第２コネクタ８１を実装するための基板とを、別個に設ける必要がない。
【００９６】
また、本実施形態によれば、カバー体９０に凹部９８が形成されている。よって、小型メモリカードが挿入口６１から外部に突出された状態でカバー体９０が遮蔽姿勢に姿勢変化されたとき、当該小型メモリカードの前側端部は凹部９８に入り込む。よって、当該小型メモリカードや基板８０などが破損する可能性を低くすることができる。
【００９７】
通常、ユーザインタフェース部７０は挿入部６０よりも厚みがある。よって、本実施形態によれば、挿入部６０の前面６５がユーザインタフェース部７０の前面７５よりも後側であるため、挿入部６０の後面、つまり奥面とユーザインタフェース部７０の後面、つまり奥面との位置を揃えることができる。これにより、本実施形態による構造は、挿入部６０及びユーザインタフェース部７０の奥側に基板８０などを配置し易い構造である。
【００９８】
また、本実施形態によれば、ユーザは凹部１７に手を入れて、スキャナ筐体１５を把持できる。そのため、スキャナ１５筐体を回動させることが容易である。また、本実施形態によれば、ユーザは凹部１７に手を入れて、カバー体９０及びユーザインタフェース部７０を把持できる。そのため、カバー体９０及びユーザインタフェース部７０が上端部側を中心に回動可能に構成されている場合、当該カバー体９０及びユーザインタフェース部７０を回動させることが容易である。
【符号の説明】
【００９９】
７・・・上下方向
８・・・前後方向
９・・・左右方向
１０・・・複合機
１４・・・プリンタ筐体
１５・・・スキャナ筐体
１７・・・凹部
５２・・・前側面
６０・・・挿入部
６１・・・挿入口
７０・・・ユーザインタフェース部
８０・・・基板
８１・・・第２コネクタ
８２・・・第１コネクタ
９０・・・カバー体
９８・・・凹部
【図１】
0006020694.tif 000002
【図２】
0006020694.tif 000003
【図３】
0006020694.tif 000004
【図４】
0006020694.tif 000005
【図５】
0006020694.tif 000006
【図６】
0006020694.tif 000007
【図７】
0006020694.tif 000008